(57)【要約】【課題】食器等の被洗浄物に洗浄水を噴射して洗浄する食器洗い機において、複数の洗浄手段の内、使用されている洗浄手段を判別できるようにし、汚れに応じた効率的な洗浄をしたり、セットされる食器の容量により有効な洗浄をしたりするとともに、分水手段の切換手段への異物の噛み込み等による故障を検知し、洗浄性能の確保ができない場合に対応できるようにする。【解決手段】被洗浄物を収容する洗浄槽２内に洗浄水を噴射する噴射口を有する複数の洗浄ノズル１３ａ、１３ｂ、１３ｃ、１３ｄを配設し、洗浄水を加圧する洗浄ポンプ５からの洗浄水を分水手段１７により複数の洗浄ノズル１３ａ、１３ｂ、１３ｃ、１３ｄの内の少なくとも１つに供給する。分水手段１７から洗浄ノズル１３ａ、１３ｂ、１３ｃ、１３ｄへ洗浄水が供給されていることを検出する検出手段２７を備える。【選択図】  図１
2004173742.tif 000002
【特許請求の範囲】
【請求項１】
被洗浄物を収容する洗浄槽と、洗浄水を加圧する洗浄ポンプと、前記洗浄槽内に配設し洗浄水を噴射する噴射口を有する複数の洗浄手段と、前記洗浄ポンプからの洗浄水を複数の洗浄手段の内の少なくとも１つに供給する分水手段と、この分水手段から洗浄手段へ洗浄水が供給されていることを検出する検出手段とを備えた食器洗い機。
【請求項２】
検出手段を、分水手段内もしくはその近傍に配した請求項１記載の食器洗い機。
【請求項３】
検出手段を、洗浄手段内もしくはその近傍に配した請求項１記載の食器洗い機。
【請求項４】
検出手段を、分水手段と複数の洗浄手段内との間を連絡する水路の途中に設けた請求項１記載の食器洗い機。
【請求項５】
分水手段は、洗浄手段への水路を切り換える可動部を設け、検出手段は、前記可動部の位置を検出する構成とした請求項１または２記載の食器洗い機。
【請求項６】
検出手段は、洗浄水圧を検出する圧力センサにより構成した請求項１〜４のいずれか１項に記載の食器洗い機。
【請求項７】
検出手段は、洗浄水の流動に伴って移動する移動体と、この移動体の位置を検出する移動体検出手段とを備えた請求項１〜４のいずれか１項に記載の食器洗い機。
【請求項８】
検出手段の検出情報を基に、どの洗浄手段から洗浄水が噴射されているかを表示する噴射表示部を備えた請求項１記載の食器洗い機。
【請求項９】
検出手段の検出情報を基に、分水手段の切り換え異常を表示する異常表示部を設けた請求項１記載の食器洗い機。
【発明の詳細な説明】
【０００１】
【発明の属する技術分野】
本発明は、食器等の被洗浄物に洗浄水を噴射して洗浄する食器洗い機に関するものである。
【０００２】
【従来の技術】
従来、一般的な食器洗い機は、図７に示すように構成していた。以下、その構成について説明する。
【０００３】
図７に示すように、食器洗い機本体１は、内部に洗浄槽２を設けており、この洗浄槽２内へ給水弁３により水または湯を供給するようにしている。洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。
【０００４】
すなわち、洗浄槽２内に供給された洗浄水は、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、食器を洗浄した後、再び排水孔４に戻るという経路で循環する。この際、食器から脱落した残さい等は、洗浄水とともに残さいフィルタ６に流入し、この残さいフィルタ６を通過できない大きさの残さいは残さいフィルタ６に捕集される。
【０００５】
また、洗浄ノズル７と洗浄槽２の底部との間には、洗浄水加熱用のヒータ８を装備し、洗浄ノズル７の上方には、食器９を整然と配置でき、洗浄水を効果的に食器９に噴射するように構成した食器かご１０を設置して効率的に洗浄を行っている。また、排水ポンプ１１は、排水ホース１２を通して洗浄水を機外に排出するものである。
【０００６】
しかしながら、このような従来の食器洗い機では、一般家庭等で使用される様々な形状の食器等の被洗浄物に対して、洗浄水は下方からの噴射のみであり、食器かご１０にセットしたすべての食器９を十分に洗浄することは困難であった。また、洗浄槽の上方からの噴射がない場合、湯呑みや汁椀など糸底のある食器類は、細かな残さいが糸底に堆積しやすく、また、全体のすすぎ性能も不十分であるという問題を有していた。
【０００７】
この問題を解決するために、図８に示すように、複数個の洗浄ノズル１３ａ、１３ｂ、１３ｃ、１３ｄを用いて、多方向から洗浄水を噴射する食器洗い機も提案されている。
【０００８】
このタイプの食器洗い機においては、すべての洗浄ノズル１３ａ、１３ｂ、１３ｃ、１３ｄに一度に洗浄水を供給する場合、多量の噴射を必要とするので、当然、洗浄槽２に溜める給水量も多くしなくてはならない。すなわち、給水量の増大によって洗浄水の温度上昇時間が長くなり、結果として、運転時間が延び、消費電力量が増え、使用水量が増え、さらには、洗浄ポンプも大型のものが必要となることから、コストの上昇や、一度に多量の洗浄水を噴射することによる騒音、振動の増大など数々の問題が発生するので、洗浄水を供給する洗浄ノズルを選択的に切換える分水手段１４を用い、少量の水で、多方向から効率的に洗浄する構成としている。（例えば、特許文献１参照）。
【０００９】
この分水手段１４は、電動モータ１５で弁体を駆動して切り換え、複数の洗浄ノズル１３ａ、１３ｂ、１３ｃ、１３ｄへ連絡する水路１６への吐出を切り換えている。また、その他にモータ等の電動駆動手段を用いずに、洗浄ポンプ１１の断続運転により弁体の位置を切り換える切換手段のものもある。
【００１０】
【特許文献１】
特開２００１―２１８７２１号公報
【００１１】
【発明が解決しようとする課題】
しかしながら、これらの構成では、すべての洗浄ノズルに対して洗浄水を供給する必要があるので、どの洗浄ノズルにも均等に洗浄水を供給するため、電動モータ１５を連続的に駆動したり、一定時間ごとに洗浄ポンプの断続運転を行って切換手段を切り換える分水手段により洗浄水を供給することになる。
【００１２】
ところが、実際の食器洗い機の洗浄運転においては、複数の洗浄ノズルからそれぞれ洗浄しようとする被洗浄物は、汚れは均一ではないので、均等に洗浄水を噴射するのではなく、効率的に噴射の頻度（各噴射時間）を変える方が有効であるが、上記のようにできなかった。
【００１３】
また、被洗浄物が少量の場合、食器かごに被洗浄物をかためてセットし、その部分だけを洗浄しようとしても、任意の洗浄ノズルを使用することができないので、有効な運転を行うことができなかった。
【００１４】
さらに、分水手段１４の弁体の切り換え移動の際、残さいや爪楊枝等の異物を噛み込んだ場合、弁体がロックされて回転不能になり、分水手段１４が動作せず、所定の洗浄性能が得られないまま食器洗い機の運転が終了するという問題がある。
【００１５】
本発明は上記従来の課題を解決するもので、複数の洗浄手段の内、使用されている洗浄手段を判別できるようにし、汚れに応じた効率的な洗浄をしたり、セットされる食器の容量により有効な洗浄をしたりするとともに、分水手段の切換手段への異物の噛み込み等による故障を検知し、洗浄性能の確保ができない場合に対応できるようにすることを目的としている。
【００１６】
【課題を解決するための手段】
本発明は上記目的を達成するために、被洗浄物を収容する洗浄槽内に洗浄水を噴射する噴射口を有する複数の洗浄手段を配設し、洗浄水を加圧する洗浄ポンプからの洗浄水を分水手段により複数の洗浄手段の内の少なくとも１つに供給し、この分水手段から洗浄手段へ洗浄水が供給されていることを検出する検出手段を備えたものである。
【００１７】
これにより、検出手段により複数の洗浄手段の内、使用されている洗浄手段を判別できるので、使用したい洗浄手段を効率的に使用して、汚れに応じた効率的な洗浄をしたり、セットされる食器の容量により有効な洗浄をしたりできるとともに、分水手段の切換手段への異物の噛み込み等による故障を検知でき、洗浄性能の確保ができない場合に対応することができる。
【００１８】
【発明の実施の形態】
本発明の請求項１に記載の発明は、被洗浄物を収容する洗浄槽と、洗浄水を加圧する洗浄ポンプと、前記洗浄槽内に配設し洗浄水を噴射する噴射口を有する複数の洗浄手段と、前記洗浄ポンプからの洗浄水を複数の洗浄手段の内の少なくとも１つに供給する分水手段と、この分水手段から洗浄手段へ洗浄水が供給されていることを検出する検出手段とを備えたものであり、検出手段により複数の洗浄手段の内、使用されている洗浄手段を判別できるので、使用したい洗浄手段を効率的に使用して、汚れに応じた効率的な洗浄をしたり、セットされる食器の容量により有効な洗浄をしたりできるとともに、分水手段の切換手段への異物の噛み込み等による故障を検知でき、本来の使用する場合と異なり洗浄性能の確保ができない場合に異常と判断でき、その対応をすることができる。
【００１９】
請求項２に記載の発明は、上記請求項１に記載の発明において、検出手段を、分水手段内もしくはその近傍に配したものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２０】
請求項３に記載の発明は、上記請求項１に記載の発明において、検出手段を、洗浄手段内もしくはその近傍に配したものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２１】
請求項４に記載の発明は、上記請求項１に記載の発明において、検出手段を、分水手段と複数の洗浄手段内との間を連絡する水路の途中に設けたものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２２】
請求項５に記載の発明は、上記請求項１または２に記載の発明において、分水手段は、洗浄手段への水路を切り換える可動部を設け、検出手段は、前記可動部の位置を検出する構成としたものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２３】
請求項６に記載の発明は、上記請求項１〜４に記載の発明において、検出手段は、洗浄水圧を検出する圧力センサにより構成したものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２４】
請求項７に記載の発明は、上記請求項１〜４に記載の発明において、検出手段は、洗浄水の流動に伴って移動する移動体と、この移動体の位置を検出する移動体検出手段とを備えたものであり、複数の洗浄手段の内、どの洗浄手段を使用しているかを確実に検知できるので、使用したい洗浄手段を効率的に使用したり、本来の使用する場合と異なるときに異常と判断でき、その対応をすることができる。
【００２５】
請求項８に記載の発明は、上記請求項１に記載の発明において、検出手段の検出情報を基に、どの洗浄手段から洗浄水が噴射されているかを表示する噴射表示部を備えたものであり、食器洗い機内部の噴射状態を目視確認できない構成であっても、洗浄の状態をユーザーに表示することができ、切り換えが確実に行われているという安心感を与えることができる。
【００２６】
請求項９に記載の発明は、上記請求項１に記載の発明において、検出手段の検出情報を基に、分水手段の切り換え異常を表示する異常表示部を設けたものであり、分水手段に異物が詰まるなどして切換えが不完全な場合等に異常表示することで、ユーザーに保守措置の必要性を認知でき、取扱説明書等に記載された方法に従って保守作業を行うことができるため、洗浄できない状態でユーザーが使いつづけるのを防止できる。
【００２７】
【実施例】
以下、本発明の実施例について、図面を参照しながら説明する。なお、従来例と同じ構成のものは同一符号を付して、説明を省略する。
【００２８】
（実施例１）
図１に示すように、洗浄ノズル（洗浄手段）１３ａ、１３ｂ、１３ｃ、１３ｄは、複数の噴射孔を有し、洗浄ポンプ５より水路１６を通して圧送された洗浄水を噴射する。洗浄ノズル１３ａ、１３ｂは食器かご１０の下方から噴射し、洗浄ノズル１３ｃは右上方より噴射し、洗浄ノズル１３ｄは左側面より噴射するよう設置しており、噴流によって軸まわりに回転する回転ノズルとしている。
【００２９】
分水手段１７は、洗浄ポンプ５の吐出経路５ａに設置し、洗浄ノズル１３ａ、１３ｂ、１３ｃ、１３ｄに供給する洗浄水を選択的に切り換えるよう構成し、図２および図３に示すように構成している。
【００３０】
図２および図３に示すように、ケーシング２０は、略円筒形であり、その軸方向を略鉛直方向に配置しており、洗浄ポンプ５で加圧された洗浄水が流入する流入部１８をケーシング２０の下端部に設置し、４個の洗浄ノズル１３ａ、１３ｂ、１３ｃ、１３ｄにそれぞれ連通する４個の流出部１９をケーシング２０の上面に設置している。このケーシング２０内に洗浄水の切り換えを行う弁体２１を移動可能に設け、弁体２１に洗浄水を通過させる開口部２２を設けている。ここで、弁体２１は略平面形状をしており、流出部１９と弁体２１との相対する面も平面形状としている。
【００３１】
４個の流出部１９は、それぞれ洗浄経路２３および水路１６を介して洗浄ノズル１３ａ、１３ｂ、１３ｃ、１３ｄに連結している。そして、開口部２２と連通する流出部１９を切り換えるために、弁体２１を回転動作させる駆動モータ（電動駆動源）２４を有し、この駆動モータ２４のモータ軸２５を弁体２１に嵌合している。
【００３２】
本発明において重要なのは、弁体２１の位置を検知するところにある。弁体２１の一部に固定して磁石２６を配置し、ケーシング２０の外側にその磁石２６を検出する検出手段２７を配置している。検出手段２７は、リードスイッチとし、弁体２１に固定した磁石２６が近傍にくると検知するように設定している。このように、磁石２６を分水手段１７の内部に配置し、検出手段２７を分水手段１７の近傍に配置している。
【００３３】
当然ながら、この検出手段２７は、ホールセンサなどの検出手段であってもかまわない。弁体２１の位置を検出できればよい訳である。
【００３４】
なお、図２等は概念的な図であり、実際には、ケーシング２０は上下に２分割して、ビス止めや嵌め込み、溶着や溶接等で結合された構造となる。また、洗浄槽２が樹脂製の場合など、この洗浄槽２の底面と一体でケーシング２０の一部を構成することも可能である。
【００３５】
上記構成において分水手段１７の動作を説明する。弁体２１とモータ軸２５は嵌合しており、駆動モータ２４により弁体２１を回転させ、開口部２２と一致した流出部１９に洗浄水が供給され、この流出部１９と連通した洗浄ノズルから洗浄水が噴射される。弁体２１を回転させることで、洗浄水を供給する流出部１９が順次切り換えられ、洗浄水は洗浄ノズル１３ａ、１３ｂ、１３ｃ、１３ｄの順に噴出することができる。
【００３６】
また、分水手段１７は、弁体２１の位置を検出手段２７により検出することができるので、駆動モータ２４を流出部１９の任意の位置で任意の時間だけ、開口部２２が停止するように断続的に駆動する。ここで、検出手段２７は１箇所のみで、この位置を通過するときを検出するのみであるが、回転の時間や停止の時間等の制御状態からすべての洗浄ノズル１３ａ、１３ｂ、１３ｃ、１３ｄへの洗浄水の供給状態を知ることができる。
【００３７】
このような構成にすることにより、状況に応じて選択的に使用する洗浄ノズル１３ａ、１３ｂ、１３ｃ、１３ｄの位置や噴射時間を設定することができる。
【００３８】
これらの作用によって、同時に４ヶ所の洗浄ノズル１３ａ、１３ｂ、１３ｃ、１３ｄに洗浄水を供給するのではなく、順次、洗浄水を送り込むため、給水量を増加させることなく、任意の被洗浄物９に対して複数方向から洗浄水を噴射させることができる。
【００３９】
さらに、被洗浄物９の汚れの具合により必要な場所の洗浄ノズル１３ａ、１３ｂ、１３ｃ、１３ｄの使用時間を調節することにより、効率的に洗浄することができる。すなわち、食器かご１０にセットする被洗浄物９の配置はほぼ決定されているので、汚れの強いものや形状的に洗浄水が届きにくい被洗浄物９ａ（たとえば、茶碗についたご飯粒などは湯飲みのお茶の汚れと比較しても汚れの状態が強い。また、椀類の形状は皿類と比較して洗浄水が届きにくい傾向にある）を洗浄する洗浄ノズル（ここでは、茶碗の下にある洗浄ノズル）１３ａを他と比較して長時間の運転を行う。
【００４０】
逆に、食器の上にある洗浄ノズル１３ｃは被洗浄物９ｂの上に再度付着した汚染物を流してすすぐのが目的であるので、比較的短い時間での運転でかまわない。
【００４１】
したがって、必要な部分にエネルギーを集中して用いるので、効率的な洗浄を行うことができ、短時間で食器等に付着した汚染物を洗浄することができ、高効率洗浄を実現することができる。
【００４２】
また、分水手段１７は、使用する洗浄ノズル１３ａ、１３ｂ、１３ｃ、１３ｄを任意に設定できるので、被洗浄物９が少量の場合など、すべての洗浄ノズル１３ａ、１３ｂ、１３ｃ、１３ｄから洗浄水を噴射する必要がない場合には、不必要な洗浄ノズル１３ａ、１３ｂ、１３ｃ、１３ｄからの噴射時間は、１秒以下程度のごく短時間とすることで、ほとんど噴射させず、必要な洗浄ノズル１３ａ、１３ｂ、１３ｃ、１３ｄのみから噴射することで、より効率的な洗浄を行うことができ、運転時間を短縮することができる。
【００４３】
また、すすぎの最終の噴射は食器かご１０の上方に設けた洗浄ノズル１３ｃから噴射するようにすることで、微細な粒子の付着をできるだけ少なくすることができ、より洗浄性能を高めることができる。
【００４４】
さらに、弁体２１の駆動は、駆動モータ（電動駆動源）２４により行う構成としているので、確実に弁体２１を回転させることができ、洗浄水を供給する洗浄ノズル１３ａ、１３ｂ、１３ｃ、１３ｄの切り換えを確実に行えるが、残さいフィルタ６が確実にセットできていなくて、残さいや爪楊枝等の異物を伴って流れる洗浄水が循環する場合、開口部２２と流出部１９との間に、ちょうど異物が挟まり込むことがある。
【００４５】
この場合、異物の種類次第では、弁体２１はロックして切換不能になることがある。この場合には、１つの洗浄ノズルのみしか洗浄水は流れないので、運転が終了しても被洗浄物９は洗浄できていないことになる。この場合においても、本発明の分水手段１７においては、弁体２１が本来の切り換え位置にこないことを検知することができるので、異常になったことを判断することができる。
【００４６】
この場合において、食器洗い機本体として駆動モータ２４の反転や正転逆転を繰り返すなどの復帰動作を自動的に行ったり、運転を停止し、異常発生を報知することができる。これにより、本体として復帰させることができたり、使用者に洗浄できないことを知らせることができる。
【００４７】
なお、本実施例において、洗浄ノズル１３ａ、１３ｂ、１３ｃ、１３ｄは４ヶ所とし、すべて回転可能な回転ノズルとしたが、４ヶ所に限定するものではなく、食器かご１０の食器配置等に応じて、その個数を設定すればよい。
【００４８】
また、回転ノズルを用いると洗浄性能は向上するが、洗浄ノズル１３ａ、１３ｂ、１３ｃ、１３ｄの占める空間が増大することから、食器洗い機本体の外郭寸法が同一の場合、食器を収容する部分の容積が減少する問題もあるため、背面および上方に設置する洗浄ノズル１３ｃ、１３ｄとして、回転しない固定式とすることも有効であり、回転ノズルや固定ノズル等の方式や、その噴射口の個数に限定するものではない。また、設置位置も背面や前面などでもよい。
【００４９】
また、複数個の洗浄ノズル１３ａ、１３ｂ、１３ｃ、１３ｄの内、噴射される洗浄ノズルは１ヶ所のみとしたが、弁体２１の開口部２２を２ヶ所、あるいはそれ以上設けることで、複数個の洗浄ノズル１３ａ、１３ｂ、１３ｃ、１３ｄから同時に噴射させ、その位置を切り換えることも可能である。
【００５０】
また、複数個の流出部１９のうちの１個を、機外に洗浄水を排出する排出経路に接続すれば、排水ポンプ１１を用いずに排水を行うこともでき、排水ポンプ１１を設置する必要がなくなり、コストダウンや装置の小型化が図れる。
【００５１】
なお、洗浄運転時に順次洗浄ノズル１３ａ、１３ｂ、１３ｃ、１３ｄを切り換えるときに、この流出部１９も必ず通過するため、ここで洗浄ポンプ５を運転しつづけると洗浄中に排水されてしまうため、洗浄水が供給されている流出部１９を検出し、排水時以外は、この排水用の流出部１９に対して洗浄水を供給する時間をごく短時間とすることで、排水時以外の機外への排水を防止できる。また、排水経路の途中に開閉弁を設ければ、確実に機外への洗浄水の排水を防止できる。
【００５２】
なお、本実施例は、洗浄水の切換方式に関するものであり、食器洗い機本体１の形状や大きさ、扉の開閉方式、食器の配置、個々の部品の配置等を限定するものではない。また、検出手段を１個としているが、それぞれの洗浄ノズルに対する位置に複数個設けて検出してもよい。
【００５３】
（実施例２）
図４に示すように、洗浄ノズル（洗浄手段）２８は、洗浄槽（図示せず）内に複数設け、洗浄ポンプ（図示せず）により加圧された洗浄水を分水手段２９および水路３０を通して圧送し、洗浄槽内に洗浄水を噴射する。検出手段３１は、分水手段２９から洗浄ノズル２８へ洗浄水が供給されていることを検出するもので、洗浄ノズル２８へ洗浄水を供給する水路３０のすぐ下側から連通させている。すなわち、洗浄ノズル２８の近傍に検知手段３１を配置している。ここで、検知手段３１は圧力センサで構成している。他の構成は上記実施例１と同じである。
【００５４】
上記構成において動作を説明する。分水手段２９から洗浄ポンプで加圧された洗浄水を洗浄ノズル２８へ供給すると、圧力センサで構成した検知手段３１により、加圧された洗浄水の供給を十分に検知することができ、複数の洗浄ノズルの内、どの洗浄ノズルを使用しているのかを検知できる。
【００５５】
ここで、複数の洗浄ノズルに対して、それぞれ複数の検知手段を持たせば確実にどこの洗浄ノズルを使用しているかがわかるが、１つの検出手段３１でもその運転時間や断続の回数によってもどの洗浄ノズルを使用しているかの予測をつけることができる。
【００５６】
したがって、確実にどの洗浄ノズルを使用しているのかがわかるので、上記実施例１と同様に、使用したい洗浄ノズルを効率的に使用したり、本来の使用する場合と異なる時に異常と判断でき、その対応ができる等の効果を奏する。
【００５７】
なお、本実施例は、洗浄水の切換方式に関するものであり、食器洗い機本体１の形状や大きさ、扉の開閉方式、食器の配置、個々の部品の配置等を限定するものではない。また、検出手段を１個としているが、それぞれの洗浄ノズルに対する位置に複数個設けて検出してもよい。
【００５８】
（実施例３）
図５に示すように、洗浄ノズル（洗浄手段）３２は、洗浄槽（図示せず）内に複数設け、洗浄ポンプ（図示せず）により加圧された洗浄水を分水手段３３および水路３４を通して圧送し、洗浄槽内に洗浄水を噴射する。水路３４の中に移動体３５を配し、水路３４の外側の近傍に移動体検出手段３６を配置している。
【００５９】
ここで、移動体３５は磁石を内蔵した球状とし、この移動体３５は水路３４の内部に配したリブ３７によりその動作を規制している。すなわち、上下のリブ３７は洗浄水が水路３４に供給されていない場合は、移動体３５は分水手段３３の方に移動するように、図で右側の方が低くなるような形状とし、また、左側へ行き過ぎないように移動体３５よりも狭い形状としている。
【００６０】
移動体検出手段３６は、リードスイッチで構成し、移動体３５が洗浄ノズル３２側へ移動したときに移動体３５の磁力で検出できる位置に配置している。他の構成は上記実施例１と同じである。
【００６１】
上記構成において動作を説明する。洗浄水が水路３４に供給されると、移動体３５は、洗浄水の供給の圧力で左側へ移動するが、上下のリブ３７は移動体３５が図の左側へ行き過ぎないように移動体３５よりも狭い形状としているので、磁石を内蔵した移動体３５の左方への移動位置が規制される。ここで、移動体検出手段３６はリードスイッチで構成し、移動体３５が洗浄ノズル３２側へ移動したときに移動体３５の磁力で検出できる位置に配置しているので、分水手段３３から洗浄ノズル３２へ洗浄水が供給されていることを確実に検知することができる。
【００６２】
したがって、上記実施例１同様に、使用したい洗浄ノズルを効率的に使用したり、本来の使用する場合と異なるときに異常と判断でき、その対応ができる等の効果を奏する。
【００６３】
なお、本実施例は、洗浄水の切換方式に関するものであり、食器洗い機本体１の形状や大きさ、扉の開閉方式、食器の配置、個々の部品の配置等を限定するものではない。また、検出手段を１個としているが、それぞれの洗浄ノズルに対する位置に複数個設けて検出してもよい。
【００６４】
（実施例４）
図６に示すように、噴射表示部３８は、どの洗浄ノズルから洗浄水が噴射されているかを表示するものであり、異常表示部３９は、分水手段の切り換え異常を表示するもので、食器洗い機本体の電源ボタンやコース設定ボタン等を有する操作部に設けている。
【００６５】
検出手段２７は、上記実施例１と同様に、分水手段（図示せず）から洗浄ノズル（図示せず）へ洗浄水が供給されていることを検出するもので、制御部４０は検出手段２７の検出情報を基に、現在洗浄水が噴射されている洗浄ノズルを噴射表示部３８に表示する。ここで、噴射表示部３８は、ほぼ実際の洗浄ノズルの配置どおり表示しており、噴射表示部３８の噴射している洗浄ノズルの位置の発光ダイオード等が点灯するようになっており、ユーザーは、現在の洗浄槽内の噴射状態を正しく認知することができる。
【００６６】
これにより、順次噴射位置を切換えて洗浄するという従来とは異なる洗浄方式でありながら、洗浄槽の全体を洗浄が可能であり、また切換えが確実に行われているという安心感を与えることができる。また、実際の噴射方向等を認識できるため、食器のセットの仕方等のヒントになり、ユーザーはより効率的な使用ができるようになる。
【００６７】
また、制御部４０は、検出手段２７の情報により切換えが正常に行われていないと判断した場合、異常表示部３９に発光ダイオードを点灯させる等の表示を行う。所定時間を過ぎても洗浄ノズルが切り換わっていなかったり、常に複数の洗浄ノズルに洗浄水が供給されている場合などは異常と判断できる。この場合、まず分水手段の駆動モータの反転や正転逆転を繰り返すなどの自動修復措置をとり、それでも復帰しない場合には、異常表示部３６に表示することになる。
【００６８】
これにより、ユーザーに保守措置の必要性を認知でき、取扱説明書等に記載された方法に従って保守作業を行うことができるため、洗浄できない状態でユーザーが使いつづけるのを防止できる。
【００６９】
【発明の効果】
以上のように、本発明の請求項１に記載の発明によれば、被洗浄物を収容する洗浄槽内に洗浄水を噴射する噴射口を有する複数の洗浄手段を配設し、洗浄水を加圧する洗浄ポンプからの洗浄水を分水手段により複数の洗浄手段の内の少なくとも１つに供給し、この分水手段から洗浄手段へ洗浄水が供給されていることを検出する検出手段を備えたことにより、検出手段により複数の洗浄手段の内、使用されている洗浄手段を判別できるので、使用したい洗浄手段を効率的に使用して、汚れに応じた効率的な洗浄をしたり、セットされる食器の容量により有効な洗浄をしたりできるとともに、分水手段の切換手段への異物の噛み込み等による故障を検知でき、洗浄性能の確保ができない場合に対応することができる。
【図面の簡単な説明】
【図１】本発明の第１の実施例の食器洗い機の一部切欠した正面図
【図２】同食器洗い機の分水手段の拡大斜視図
【図３】同食器洗い機の分水手段の拡大断面図
【図４】本発明の第２の実施例の食器洗い機の要部断面図
【図５】本発明の第３の実施例の食器洗い機の要部断面図
【図６】本発明の第４の実施例の食器洗い機の要部ブロック図を含む操作部の正面図
【図７】従来の食器洗い機の断面図
【図８】従来の別の食器洗い機の断面図
【符号の説明】
２  洗浄槽
５  洗浄ポンプ
１３ａ  洗浄ノズル（洗浄手段）
１３ｂ  洗浄ノズル（洗浄手段）
１３ｃ  洗浄ノズル（洗浄手段）
１３ｄ  洗浄ノズル（洗浄手段）
１７  分水手段
２７  検出手段
【図１】
2004173742.tif 000003
【図２】
2004173742.tif 000004
【図３】
2004173742.tif 000005
【図４】
2004173742.tif 000006
【図５】
2004173742.tif 000007
【図６】
2004173742.tif 000008
【図７】
2004173742.tif 000009
【図８】
2004173742.tif 000010